(57)【要約】【課題】厚さの異なった床仕上げ材を接合してなる床と、床スラブとの間に介装され、作業性よく、床下空間を確保できる二重床の支持脚構造を提供する。【解決手段】支持脚Ａと、幅広受け材４とからなる支持脚構造であって、該支持脚Ａは、台座３に立設され、高さの調節が可能とされた脚部２と、該脚部２の上端に固定された床受け手段１とからなり、この床受け手段１は、ベース部１３と、防振材１２を介して上記ベース部１３に支持された側断面視凸字型の床受け材１１とからなるとともに、上記幅広受け材４は、上記床受け材１１と嵌合する段部４２を内設した透孔４１を有し、幅広受け材４と、床受け材１１とが面一となるよう該両者を着脱自在に嵌合する。【選択図】図２
2004256989.tif 000002
【特許請求の範囲】
【請求項１】
支持脚と、幅広受け材とからなる支持脚構造であって、該支持脚は、台座に立設され、高さの調節が可能とされた脚部と、該脚部の上端に固定された床受け手段とからなり、この床受け手段は、ベース部と、防振材を介して上記ベース部に支持された側断面視凸字型の床受け材とからなるとともに、上記幅広受け材は、上記床受け材と嵌合する段部を内設した透孔を有し、幅広受け材４と、床受け材１１とが面一となるよう該両者を着脱自在に嵌合することを特徴とする二重床の支持脚構造。
【請求項２】
上記幅広受け材が木質系材料からなる請求項１に記載の二重床の支持脚構造。
【請求項３】
上記側断面視凸字型の床受け材が木質系材料からなる請求項１に記載の二重床の支持脚構造。
【請求項４】
上記防振材が弾性材料からなる請求項１に記載の二重床の支持脚構造。
【請求項５】
上記台座が床スラブ上に接着剤により接着された請求項１に記載の二重床の支持脚構造。
【発明の詳細な説明】
【０００１】
【発明の属する技術分野】
本発明は、床と、床スラブとからなる二重床の支持脚構造に関する。さらに詳しくは、厚さの異なった床仕上げ材を接合してなる床と、床スラブとの間に介装され、床下空間を確保するための二重床の支持脚構造に関する。
【０００２】
【従来の技術】
従来、集合住宅等のコンクリート建物等において、床面に物を落とした場合等、階下への騒音防止を図るため、あるいは、床と床スラブとの間にパソコン等の配線用の床下空間を設けるために、二重床構造とすることが行われている。この場合、一般的には、床スラブの上方に離間して位置する床を支持脚で支えて床下空間を確保している。
【０００３】
上記支持脚の構造としては、種々の技術が公知であり（例えば、特許文献１、２、３参照）、本願図３は、その一例を示す部分側断面図である。本願図３からよくわかるように、公知の支持脚Ｂは、上記床仕上げ材を載置、固定する側断面視凸字型の床受け部Ｂ１と、側断面視略Ｈ字型の防振部Ｂ２と、床スラブ８上に台座３を介して立設された脚部２とから構成されている。上記防振部Ｂ２は、衝撃吸収のために設けられた複数の突起部を有する仕切り部によって、上嵌合部と下嵌合部に仕切られ、上嵌合部には、上記床受け部Ｂ１が側方から嵌合されるとともに、下嵌合部には、脚部２の上端に固定された平面視方形の板形端部Ｂ３が側方から嵌合される。脚部２は、上部脚部２１と下部脚部２２とから構成され、この上部、下部両脚部の間には、伸縮機構２３が設けられている。このように構成された公知の支持脚Ｂは、上部、下部両脚部の螺合の程度を調節する伸縮機構２３を操作して脚部２の高さを調節し、上記床受け部Ｂ１を介して、床仕上げ材をしっかりと支える。
【０００４】
【特許文献１】
特開２００２−４７７８８号公報（第１−３頁、第１図）
【特許文献２】
特開２００１−２０７６２８号公報（第１−３頁、第１図）
【特許文献３】
特開平９−１３６３４号公報（第１−４頁、第１図）
【０００５】
しかしながら、厚さの異なった床仕上げ材からなる床、例えば、フローリング部と畳部とが敷居を挟んで接合する床の場合、公知の支持脚Ｂを用いて二重床とするときには、両者の厚みの差を調整するため、スペーサーを用いる必要がある。すなわち、本願図４に示すように、フローリング部５と、床下地パネルとその上に敷設される畳からなる畳部６との厚みの差をスペーサーＳ１で、また、畳部６と敷居７との厚みの差をスペーサーＳ２で補い、スペーサーＳ１、スペーサーＳ２、畳部６の底面を面一にした上で、広い床受け面を有するスペーサー保持板Ｈを介して支持する必要がある。
【０００６】
【発明が解決しようとする課題】
このとき、スペーサー保持板Ｈの厚みをｘとすると、本願図４に示すように、床スラブ８からフローリング部５までの高さＸ、床スラブ８から畳部６までの高さＹ、床スラブ８からスペーサー保持板Ｈの底面までの高さ（Ｙ−ｘ）の３種の高さに支持脚Ｂを調整しなければならず、そのための作業が繁雑で、手間がかかるという問題がある。そこで、本発明は、上記問題を解決して、厚さの異なった床仕上げ材を接合してなる床と、床スラブとの間に介装され、簡単に、作業性よく、床下空間を確保することのできる二重床の支持脚構造を提供することを、その課題とする。
【０００７】
【課題を解決するための手段】
本発明は、上記課題を解決するために、つぎのような技術的手段を講じている。すなわち、本発明によれば、支持脚と、幅広受け材とからなる支持脚構造であって、該支持脚は、台座に立設され、高さの調節が可能とされた脚部と、該脚部の上端に固定された床受け手段とからなり、この床受け手段は、ベース部と、防振材を介して上記ベース部に支持された側断面視凸字型の床受け材とからなるとともに、上記幅広受け材は、上記床受け材と嵌合する段部を内設した透孔を有し、幅広受け材４と、床受け材１１とが面一となるよう該両者を着脱自在に嵌合することを特徴とする二重床の支持脚構造が提供される。このように構成された支持脚構造を、厚さの異なった床仕上げ材を接合してなる床と、床スラブとの間に介装することによって、簡単に、作業性よく、床下空間を確保することができる。
【０００８】
上記幅広受け材が木質系材料からなることが好ましい。このようにすることによって、上記幅広受け材と、それに載置された床仕上げ材とを、釘、ビス等の固定手段を用いてしっかりと固定することができる。
【０００９】
上記側断面視凸字型の床受け材が木質系材料からなることが好ましい。このようにすることによって、上記床受け材と、それに載置された床仕上げ材とを、釘、ビス等の固定手段を用いてしっかりと固定することができる。
【００１０】
上記防振材が弾性材料からなることが好ましい。例えば、弾性変形可能なゴム材等を用いて防振材を構成することにより、振動、衝撃等を吸収するとともに、優れたクッション性を与える。
【００１１】
上記台座が床スラブ上に接着剤により接着されることが好ましい。このようにすることにより、支持脚が床スラブにしっかりと固定され、施工後に、所定の位置から二重床の支持脚構造全体がずれることを防ぐ。
【００１２】
【発明の実施の形態】
以下、本発明の好ましい実施の形態について、図面を参照して、詳細に説明する。図１は、支持脚Ａと幅広受け材４とからなる、本発明の二重床の支持脚構造を示す斜視図である。図１からよくわかるように、支持脚Ａは、台座３に立設され、上部脚部２１と下部脚部２２とからなる脚部２と、この脚部２の上端に固定された床受け手段１とから構成され、この床受け手段１は、ベース部１３と、このベース部１３の４隅に配設された防振材１２を介して支持された側断面視凸字型の床受け材１１とからなる。脚部２は、上部脚部２１と下部脚部２２との間に設けられるとともに、上部、下部両脚部の螺合の程度を調節し、脚部２を伸縮させる伸縮機構２３によって、高さの調節をすることができる。
【００１３】
一方、床受け材１１よりも広くされた幅広受け材４は、木質系の材料から構成されるとともに、その中央部に、段部４２を内設した透孔４１が設けられ、この透孔４１と、上記側断面視凸字型の床受け材１１とがしっかりと嵌合する。その結果、幅広受け材４と、床受け材１１とが面一となって、床との当接面積を大きくすることができる。
【００１４】
図２は、フローリング部５と、床下地パネルとその上に敷設される畳からなる畳部６とが敷居７を挟んで接合した床を、上記した本発明にかかる二重床の支持脚構造を用いて、支持した状態を示す部分側断面図である。図２から、フローリング部５と畳部６との厚みの差を補うスペーサーＳ１と、畳部６と敷居７との厚みの差を補うスペーサーＳ２と、畳部６とは、その底面が面一とされ、スペーサーＳ１、スペーサーＳ２、畳部６を接合したままで受けるには、広い床受け面を必要とすることがわかる。この場合は、上記幅広受け材４を、床受け材１１に嵌合し、床受け面を広くした状態で床を受ける。
【００１５】
このとき、面一とされた、スペーサーＳ１、スペーサーＳ２、畳部６の接合部の、床スラブ８からの高さはＹとなり、したがって、図４に示したように、スペーサー保持板Ｈの厚みを差し引いて高さ調節を行う必要はなくなる。一方、フローリング部５は、床スラブ８からの高さがＸとされているため、脚部２の高さ調整は、ＸとＹの２種となる。このように、本発明の二重床の支持脚構造を用いると、従来技術による脚部２の高さ調整作業よりも、作業数が１つ少なくなり、厚さの異なった床を接合してなる床と、床スラブとの間に、より簡単に、作業性よく、床下空間を確保することができる。
【００１６】
【発明の効果】
以上述べたように、請求項１に記載の発明は、支持脚Ａと、幅広受け材４とからなる支持脚構造であって、該支持脚Ａは、台座３に立設され、高さの調節が可能とされた脚部２と、該脚部２の上端に固定された床受け手段１とからなり、この床受け手段１は、ベース部１３と、防振材１２を介して上記ベース部１３に支持された側断面視凸字型の床受け材１１とからなるとともに、上記幅広受け材４は、上記床受け材１１と嵌合する段部４２を内設した透孔４１を有し、幅広受け材４と、床受け材１１とが面一となるよう該両者を着脱自在に嵌合することを特徴とする二重床の支持脚構造である。このように構成された支持脚構造を、厚さの異なった床仕上げ材を接合してなる床と、床スラブとの間に介装することによって、簡単に、作業性よく、床下空間を確保することができる。
【００１７】
請求項２に記載の発明は、上記幅広受け材４が木質系材料とされる。このようにすることによって、請求項１に記載の発明の効果に加えて、上記幅広受け材４と、それに載置された床仕上げ材とを、釘、ビス等の固定手段を用いてしっかりと固定することができる。
【００１８】
請求項３に記載の発明は、上記側断面視凸字型の床受け材１１が木質系材料とされる。このようにすることによって、請求項１に記載の発明の効果に加えて、上記床受け材１１と、それに載置された床仕上げ材とを、釘、ビス等の固定手段を用いてしっかりと固定することができる。
【００１９】
請求項４に記載の発明は、上記防振材１２が弾性材料から構成される。例えば、弾性変形可能なゴム材等を用いて防振材１２を構成することにより、請求項１に記載の発明の効果に加えて振動、衝撃等を吸収するとともに、優れたクッション性を与える。
【００２０】
請求項５に記載の発明は、上記台座３が床スラブ８上に接着剤により接着される。このようにすることにより、請求項１に記載の発明の効果に加えて、支持脚Ａが床スラブ８にしっかりと固定され、施工後に、所定の位置から二重床の支持脚構造全体がずれることを防ぐ。
【図面の簡単な説明】
【図１】本発明にかかる二重床の支持脚構造を示す斜視図である。
【図２】フローリング部と畳部とが敷居を挟んで接合した床を、本発明にかかる二重床の支持脚構造を用いて支持した状態を示す部分側断面図である。
【図３】
公知の二重床の支持脚を示す部分側断面図である。
【図４】フローリング部と畳部とが敷居を挟んで接合した床を、公知の二重床の支持脚を用いて支持した状態を示す部分側断面図である。
【符号の説明】
Ａ          本発明にかかる支持脚
１          床受け手段
１１        床受け材
１２        防振材
１３        ベース部
２          脚部
２１        上部脚部
２２        下部脚部
２３        伸縮機構
３          台座
４          本発明にかかる幅広受け材
４１        透孔
４２        段部
５          フローリング部
６          畳部
７          敷居
８          床スラブ
Ｂ          公知の支持脚
Ｂ１        床受け部
Ｂ２        防振部
Ｂ３        板形端部
Ｓ１        スペーサー
Ｓ２        スペーサー
Ｈ          スペーサー保持板
【図１】
2004256989.tif 000003
【図２】
2004256989.tif 000004
【図３】
2004256989.tif 000005
【図４】
2004256989.tif 000006